(57)【要約】【課題】タブの接続時における作業性を改善した上で、タブとの間に充分な接圧を確保する。【解決手段】本体部１１内には第１、第２弾性片２１、２４が互いに対向して形成されている。第２弾性片２４は、タブ６０の挿入方向に延びる延出片２５と、延出片２５の先端部において天井壁の内面に当接する支点部２６と、支点部２６から第１弾性片２１側へ向けて延び、その先端部が第１弾性片２１を押圧して第１弾性片２１を蓄勢状態に保持する押さえ片２７とを有する。延出片２５と第１弾性片２１との間にタブ６０が挿入され、タブ６０の先端部が押さえ片２７を押し倒すことで第１弾性片２１の蓄勢状態が解除され、かつ押さえ片２７の傾倒に伴って延出片２５が支点部２６を支点として弾性変形され、これによってタブ６０が延出片２５と第１弾性片２１との間に弾性的に保持される。【選択図】図１
2011082082.tif 000002
【特許請求の範囲】
【請求項１】
相手側のタブを受ける筒状の本体部と、
前記本体部内に撓み可能に形成される第１弾性片と、
前記本体部内において前記第１弾性片とその撓み方向で対向する位置に撓み可能に形成される第２弾性片とを備え、
前記第２弾性片は、前記本体部の一壁の開口端部から前記タブの挿入方向に延びる延出片と、前記延出片の延出端部において前記一壁の内面に当接する支点部と、前記支点部から前記第１弾性片側へ向けて延び、その延出端部が前記第１弾性片を押圧することで前記第１弾性片を蓄勢状態に保持する押さえ片とを有し、
前記延出片と前記第１弾性片との間に前記タブが挿入され、前記タブの先端部が前記押さえ片を押し倒すことで前記第１弾性片の蓄勢状態が解除され、かつ前記押さえ片の傾倒に伴って前記延出片が前記支点部を支点として前記第１弾性片側に弾性変形され、これによって前記タブが前記延出片と前記第１弾性片との間に弾性的に保持される構成としたことを特徴とする雌端子金具。
【請求項２】
前記第１弾性片が前記本体部における前記一壁に対向する他壁の開口端部から前記タブの挿入方向に延びる形態とされ、前記押さえ片が前記第１弾性片の延出端部を押圧する請求項１記載の雌端子金具。
【請求項３】
前記第１弾性片の延出端部が前記蓄勢状態において前記押さえ片と前記他壁の内面との間に挟持される請求項２記載の雌端子金具。
【請求項４】
前記第１弾性片が前記蓄勢状態にあるときに、前記延出片と前記第１弾性片との間に形成された前記タブの挿入路の開口寸法が前記タブの厚みよりも小さくされる請求項１ないし３のいずれか１項記載の雌端子金具。
【請求項５】
前記第１弾性片が前記蓄勢状態にあるときに、前記延出片と前記第１弾性片との間に形成された前記タブの挿入路の開口寸法が前記タブの厚みよりも大きくされる請求項１ないし３のいずれか１項記載の雌端子金具。
【発明の詳細な説明】
【技術分野】
【０００１】
本発明は、雌端子金具に関する。
【背景技術】
【０００２】
特許文献１には従来の雌端子金具が開示されている。このものは、雄端子金具のタブを受ける筒状の本体部と、本体部の後方に連成されて電線の端末に接続されるバレル部とを備えている。本体部内には弾性接触片が撓み可能に形成され、本体部の一壁には弾性接触片と対向する位置に受け部が台状に叩き出して形成されている。本体部内にタブが挿入されると、弾性接触片が弾性変形しつつ受け部との間にタブを挟持して、両端子金具が電気的に接続されるようになっている。
【先行技術文献】
【特許文献】
【０００３】
【特許文献１】特開２００８−２８２５５１号公報
【発明の概要】
【発明が解決しようとする課題】
【０００４】
ところで、上記従来の雌端子金具の場合、タブが本体部内への挿入過程で弾性接触片からのバネ力を受けて受け部に強く押し付けられるため、弾性接触片のバネ力が大きくなれば、その分、受け部との間に大きな摩擦抵抗を発生させることになり、作業性の悪化をまねくという問題があった。これに対し、弾性接触片のバネ力が小さくなると、作業性が改善されるものの、タブへの接圧を充分に確保し得ないという事情があった。
【０００５】
本発明は上記のような事情に基づいて完成されたものであって、タブの挿入時における作業性を改善した上で、タブとの間に充分な接圧を確保することが可能な雌端子金具を提供することを目的とする。
【課題を解決するための手段】
【０００６】
上記の目的を達成するための手段として、請求項１の発明は、相手側のタブを受ける筒状の本体部と、前記本体部内に撓み可能に形成される第１弾性片と、前記本体部内において前記第１弾性片とその撓み方向で対向する位置に撓み可能に形成される第２弾性片とを備え、前記第２弾性片は、前記本体部の一壁の開口端部から前記タブの挿入方向に延びる延出片と、前記延出片の延出端部において前記一壁の内面に当接する支点部と、前記支点部から前記第１弾性片側へ向けて延び、その延出端部が前記第１弾性片を押圧することで前記第１弾性片を蓄勢状態に保持する押さえ片とを有し、前記延出片と前記第１弾性片との間に前記タブが挿入され、前記タブの先端部が前記押さえ片を押し倒すことで前記第１弾性片の蓄勢状態が解除され、かつ前記押さえ片の傾倒に伴って前記延出片が前記支点部を支点として前記第１弾性片側に弾性変形され、これによって前記タブが前記延出片と前記第１弾性片との間に弾性的に保持される構成としたところに特徴を有する。
【０００７】
請求項２の発明は、請求項１に記載のものにおいて、前記第１弾性片が前記本体部における前記一壁に対向する他壁の開口端部から前記タブの挿入方向に延びる形態とされ、前記押さえ片が前記第１弾性片の延出端部を押圧するところに特徴を有する。
【０００８】
請求項３の発明は、請求項２に記載のものにおいて、前記第１弾性片の延出端部が前記蓄勢状態において前記押さえ片と前記他壁の内面との間に挟持されるところに特徴を有する。
【０００９】
請求項４の発明は、請求項１ないし３のいずれか１項に記載のものにおいて、前記第１弾性片が前記蓄勢状態にあるときに、前記延出片と前記第１弾性片との間に形成された前記タブの挿入路の開口寸法が前記タブの厚みよりも小さくされるところに特徴を有する。
【００１０】
請求項５の発明は、請求項１ないし３のいずれか１項に記載のものにおいて、前記第１弾性片が前記蓄勢状態にあるときに、前記延出片と前記第１弾性片との間に形成された前記タブの挿入路の開口寸法が前記タブの厚みよりも大きくされるところに特徴を有する。
【発明の効果】
【００１１】
＜請求項１の発明＞
本体部内にタブが挿入されたときに、タブが押さえ片を押し倒すまでの挿入途中では、第１弾性片の蓄勢状態が保たれるため、タブが第１弾性片から大きなバネ力を受けることがなく、第１弾性片と延出片との間に大きな摩擦抵抗を生じさせることがない。したがって、タブの挿入時における作業性が改善される。
【００１２】
また、タブの先端部が押さえ片を押し倒すことで第１弾性片の蓄勢状態が解除され、かつこの押さえ片の傾倒に伴って延出片が支点部を支点として第１弾性片側に弾性変形され、これによってタブが延出片と第１弾性片との間に弾性的に挟持されるから、第１弾性片及び延出片とタブとの間に充分な接圧が確保される。
【００１３】
＜請求項２の発明＞
押さえ片が第１弾性片の延出端部を押圧するため、押さえ片の押圧力を格別大きく設定する必要がなく、また蓄勢状態から解除される第１弾性片の復帰動作の円滑性が確保される。
【００１４】
＜請求項３の発明＞
第１弾性片の延出端部が蓄勢状態において押さえ片と他壁の内面との間に挟持されるから、蓄勢状態における第１弾性片の遊動が規制される。
【００１５】
＜請求項４の発明＞
タブの挿入路への挿入時に、タブが第１弾性片及び延出片と摺動し得るから、第１弾性片、延出片、又はタブの表面に形成された酸化被膜等の被膜をワイピングにより取り除くことができる。
【００１６】
＜請求項５の発明＞
第１弾性片及び延出片とタブとの間に摩擦抵抗を実質的に発生させないから、タブの挿入路への挿入時における作業負担がより軽減される。
【図面の簡単な説明】
【００１７】
【図１】本発明の実施形態１に係る雌端子金具の要部断面図である。
【図２】本体部内にタブが挿入された状態を示す要部断面図である。
【図３】図１のＡ−Ａ断面図である。
【発明を実施するための形態】
【００１８】
＜実施形態１＞
本発明の実施形態１を図１ないし図３によって説明する。本実施形態に係る雌端子金具１０は、１枚の導電性金属板を曲げ加工等して一体に成形され、本体部１１と、本体部１１の後方に配置される図示しないバレル部と、バレル部及び本体部１１間に配置されるつなぎ部１２とを備えている。
【００１９】
バレル部は、図示しない電線の端末にかしめ付けして接続され、本体部１１及びつなぎ部１２との間に前後方向に延びる基板部１３を共有する形態とされている。つなぎ部１２は、基板部１３とその両側縁から立ち上げられた一対の連結側板部１４とを有している。つなぎ部１２の基板部１３には、下方からの叩き出しによって上方へ膨出された底上げ部１５が形成されている。底上げ部１５は、台状をなし、その上面が略水平なフラット面１６とされている。
【００２０】
本体部１１は四角筒状をなし、図３に示すように、基板部１３と、基板部１３の両側縁から立ち上げられた一対の側板部１７と、両側板部１７のうちの一方の側板部１７から他方の側板部１７の立ち上げ端に向けて折り曲げられた対向板部１８とを有している。対向板部１８は基板部１３と略平行に配置されている。本体部１１の前面開口は前方から相手側のタブ６０が挿入されるタブ挿入口１９とされている。また、両側板部１７の後端の略下半部は両連結側板部１４に一体に連なっている。
【００２１】
そして、本体部１１内には前後方向に延びる帯板状の第１弾性片２１が形成されている。第１弾性片２１は、基板部１３の前端から前方へ延びる舌片を後方へ略山型に折り返すことにより、基板部１３の前端（開口端）を支点として上下方向に撓み変形可能な形態とされている。第１弾性片２１における山の頂部にはタブ６０と接触可能な接点部２２が形成されている。第１弾性片２１の基端部（基板部１３の前端部）の両側には両側板部１７との間にスリット２３が入れられ、これにより第１弾性片２１の基端部が本体部１１の前端よりも少し後方へ控えて配置されている。また、第１弾性片２１の後端部（延出端部）は、底上げ部１５のフラット面１６に上方から当接して支持されている。
【００２２】
さらに、本体部１１内には、第１弾性片２１と対向する位置に、前後方向に延びる帯板状の第２弾性片２４が形成されている。
第２弾性片２４は、対向板部１８の前端から後方へ延びる延出片２５と、延出片２５の後端（延出端）にあって対向板部１８の内面に当接する支点部２６と、支点部２６から第１弾性片２１へ向けて斜め下後方に延出する押さえ片２７とを有している。延出片２５及び支点部２６は、第１弾性片２１と同様、幅広の帯板状とされている。一方、押さえ片２７は、延出片２５の後端の幅方向中央部から延出する幅狭の帯板状とされている（図３を参照）。
【００２３】
延出片２５の前端部は対向板部１８の内面に密着重ねされ、延出片２５における前端部を除く部分は対向板部１８の内面との間に隙間をあけて配置されている。このうち、第１弾性片２１の接点部２２に対向する延出片２５の中間部は、前後方向に沿って延びるストレート部２８とされ、対向板部１８の内面と略平行に配置されている。
【００２４】
支点部２６は、斜め上後方に延びる延出片２５の後端部と、斜め下後方へ延びる押さえ片２７の前端部との交差部分となる山の頂部に構成されている。この支点部２６は対向板部１８の内面に常時当接して配置されている。
【００２５】
押さえ片２７の先端部には、この先端部を斜め上後方へ屈曲させることによって跳ね上げ部３１が形成されている。押さえ片２７の跳ね上げ部３１の屈曲部分は、第１弾性片２１の後端部に上方から押圧状態で当接して、第１弾性片２１の後端部を底上げ部１５との間に弾性的に挟持可能とされている。押さえ片２７に押圧された第１弾性片２１は、基板部１３の前端を支点として撓み変形され、かつその撓み状態が維持されることによって蓄勢状態（プリロード状態）に保たれる。かかる押さえ片２７は、延出片２５と第１弾性片２１との間に形成されたタブ６０の挿入路３５と対向する位置に当接部３４を有し、この当接部３４に、本体部１１内に正規深さで挿入されたタブ６０の先端部が当接する。タブ６０に当接した押さえ片２７はその後端部をタブ６０の先端部に乗り上げさせつつ後方へ押し倒され、それに伴って第１弾性片２１への押圧状態を解除する。つまり、押さえ片２７は、第１弾性片２１に押圧力を付与する押圧位置（図１を参照）と、第１弾性片２１への押圧状態を解除する退避位置（図２を参照）とに変位可能とされている。なお、押さえ片２７が押圧位置にあるときに、言い換えれば第１弾性片２１が蓄勢状態にあるときに、延出片２５のストレート部２８と第１弾性片２１の接点部２２との高さ方向の離間距離（挿入路３５の開口寸法）は、タブ６０の厚みよりも少し小さくされている。
【００２６】
本実施形態に係る雌端子金具１０は以上のような構成であり、続いてその作用を説明する。
雌端子金具１０が収容された図示しないコネクタの嵌合動作に伴い、雌端子金具１０の本体部１１内には前方からタブ６０が挿入される。このとき、タブ６０は、タブ挿入口１９から前後方向に沿って挿入され、延出片２５及び第１弾性片２１と摺接しながらその挿入深さを増していく。もっとも、タブ６０の先端部が挿入路３５を通過する際、押さえ片２７が押圧位置にあって第１弾性片２１の蓄勢状態が保たれていることにより、タブ６０が第１弾性片２１から大きなバネ力を受けることはなく、タブ６０と第１弾性片２１及び延出片２５との摩擦抵抗が格別大きくなることはない。
【００２７】
その後、タブ６０が正規挿入される直前の挿入終盤段階に入ると、タブ６０の先端部が当接部３４と干渉して、押さえ片２７が後方へ押し倒されて退避位置に移動させられる。これとともに、第１弾性片２１の蓄勢状態が解除され、第１弾性片２１が基板部１３の前端を支点として上方（延出片２５側）へ弾性変位し、タブ６０に下方から第１弾性片２１によるバネ力が付与される。
【００２８】
また、押さえ片２７の退避位置への移動に伴い、支点部２６を支点として延出片２５が下方（第１弾性片２１側）へ変位し、延出片２５のストレート部２８がタブ６０の上面に前後方向に沿うよう当接する。このとき、当接部３４を力点、支点部２６を支点、ストレート部２８を作用点とするてこの働きにより、タブ６０に押さえ片２７の押し下げ力が付与される。
【００２９】
こうして本体部１１内に正規挿入されたタブ６０は、その上方で延出片２５と緊密に弾性接触するとともに、その下方で第１弾性片２１と緊密に弾性接触し、もって両片間に適正な接圧をもって保持されることとなる。
【００３０】
以上説明したように本実施形態によれば、タブ６０の挿入途上で第１弾性片２１の蓄勢状態が保たれているから、タブ６０が第１弾性片２１から大きなバネ力を受けることがなく、第１弾性片２１と延出片２５との間に大きな摩擦抵抗を生じさせることがない。したがって、タブ６０の挿入時における作業性が改善される。
【００３１】
また、タブ６０の先端部が押さえ片２７を押し倒すことで第１弾性片２１の蓄勢状態が解除され、かつこの押さえ片２７の傾倒に伴って延出片２５が支点部２６を支点として第１弾性片２１側に弾性変形され、これによってタブ６０が延出片２５と第１弾性片２１との間に弾性的に挟持されるから、第１弾性片２１及び延出片２５とタブ６０との間に充分な接圧が確保される。
【００３２】
さらに、押さえ片２７が第１弾性片２１における支点位置から離れた後端部（延出端部）を押圧するため、押さえ片２７の押圧力を格別大きくする必要がなく、また蓄勢状態から解除される第１弾性片２１の復帰動作の円滑性が確保される。
【００３３】
さらにまた、第１弾性片２１の後端部が、蓄勢状態において押さえ片２７と基板部１３の底上げ部１５のフラット面１６との間に挟持されるから、蓄勢状態における第１弾性片２１の遊動が規制される。この場合、底上げ部１５の高さ寸法（底上げ量）を調整することで、第１弾性片２１のバネ力及び押さえ片２７の長さ寸法が適正値に設定される。
【００３４】
さらにまた、タブ６０の挿入路３５への挿入時に、タブ６０が第１弾性片２１及び延出片２５と摺動するから、第１弾性片２１、延出片２５、又はタブ６０の表面に形成された酸化被膜等の被膜がワイピングにより効果的に除去される。
【００３５】
＜他の実施形態＞
本発明は上記記述及び図面によって説明した実施形態に限定されるものではなく、例えば次のような実施形態も本発明の技術的範囲に含まれる。
（１）押さえ片が押圧位置にあって第１弾性片が蓄勢状態にあるときに、上記実施形態とは逆に、延出片と第１弾性片との間に形成された挿入路の開口寸法がタブの厚みよりも大きくされていてもよい。こうすると、第１弾性片及び延出片とタブとの間に摩擦抵抗を実質的に発生させないから、タブの挿入路への挿入時における作業負担がより軽減される。
（２）第１弾性片は、本体部の後端部から前方へ向けて延び、後端部を支点として撓み変形可能な形態であってもよい。
（３）底上げ部は、本体部内に形成されるか、又は本体部とつなぎ部とに跨って形成されるものであってもよい。
（４）押さえ片は延出片と同じ幅寸法部分を含むものであってもよい。
【符号の説明】
【００３６】
１０…雌端子金具
１１…本体部
１３…基板部（一壁）
１８…対向板部（他壁）
２１…第１弾性片
２４…第２弾性片
２６…支点部
２７…押さえ片
３５…挿入路
６０…タブ
【図１】
2011082082.tif 000003
【図２】
2011082082.tif 000004
【図３】
2011082082.tif 000005